(57)【要約】【課題】ロック解除によりケースの開封がなされたとしても、ケース内の電子部品、基板の取り出しができないようにした容器を提供する。【解決手段】上ケース２と下ケース３とを回動自在に連結し、ケース２とケース３の間に収納空間４が形成される容器１であって、これら上ケース２と下ケース３の一方に、他方と接触することによって回動範囲を制限する接触面１４を設けたことを特徴とする。【選択図】図８
2014064636.tif 000002
【特許請求の範囲】
【請求項１】
上ケースと下ケースとを回動自在に連結し、これらケースの間に収納空間が形成される容器であって、
前記上ケースと下ケースの一方に、他方と接触することによって回動範囲を制限する接触面を設けたことを特徴とする容器。
【請求項２】
前記ケースの一方に軸が設けられるとともに、前記ケースの他方に該軸を軸支する軸受けが設けられ、
前記軸は、前記上ケースと下ケースとを軸と平行な一方向へずらした状態で軸受けに半径方向外方から挿入され、これら上ケースと下ケースとを軸と平行な他方向へ相対的にずらすことによって軸受けに支持されることを特徴とする請求項１に記載の容器。
【請求項３】
前記上ケースと前記下ケースは、一辺に平行な軸を中心として回動自在に連結され、
前記一辺と平行な他辺における一方のケースの内側に、一方向への弾性変形によって他方のケースの内側の被係合部に係合するフックが設けられることを特徴とする請求項１に記載の容器。
【請求項４】
前記上ケースと前記下ケースは、一辺に平行な軸を中心として回動自在に連結され、
前記一辺と平行な他辺における一方のケースの内側に、一方向への弾性変形によって他方のケースの内側の被係合部に係合するフックが設けられ、
前記軸は、前記ケースの一方に設けられ、前記ケースの他方の軸受けに軸支されるとともに、前記各ケースを軸と平行な一方向へずらした状態で軸受けに半径方向外方から挿入され、前記各ケースを軸と平行な他方向へ相対的にずらすことによって該軸受けに支持されることを特徴とする請求項１に記載の容器。
【請求項５】
前記一方のケース内のフックと、前記他方のケース内の被係合部とからなるフック機構は、前記一辺と平行な他辺に沿うように複数配置されていることを特徴とする請求項３又は４のいずれか１項に記載の容器。
【請求項６】
前記上ケース及び下ケースは、透明なプラスチック材料で形成されることを特徴とする請求項１〜５のいずれか１項に記載の容器。
【発明の詳細な説明】
【技術分野】
【０００１】
本発明は、電子部品（ＲＯＭ，ＣＰＵ）及び該電子部品を搭載する基板といった重要部材を内部に収容する容器に係り、不正な開封を防止し、かつ不正開封がなされた場合に即座に気付くことができる技術に関する。
【背景技術】
【０００２】
遊技機、産業用ロボット、白物家電などの電子機器には、これらの動作を制御する電子部品（ＲＯＭ，ＣＰＵ）を搭載した基板が収容されることがある。そして、該基板が不正な改造を防止して電子器機器の機能を保証するため、又は内部に組み込まれている情報を保護するために、該基板を密封可能な基板ケースに収納することが行われている。
【０００３】
例えば、引用文献１にはこのような基板を収納する基板ケースが開示されている。
この基板ケースは、樹脂製のベース部材及び蓋部材を備え、蓋部材に対してベース部材をスライド移動させて所定の重ね合わせ状態に組み付け可能となっている。また、この基板ケースは、ベース部材に複数のベース側係合手段を有し、蓋部材に複数の蓋側係合手段を有している。
そして、このように構成された基板ケースにおいて、ベース側係合手段及び蓋部材係合手段が係合可能な状態にあるときに、係合部材であるカシメピンを別途押し込むことにより、これらベース側係合手段及び蓋部材係合手段を結合させ、一連の組み立て作業を完了する。また、このような基板ケースの組み立てを行うことで、電子部品及び基板の不正改造防止のために、簡単に開封できない構造としている。
【先行技術文献】
【特許文献】
【０００４】
【特許文献１】特開２０１０−２４６７３２号公報
【発明の概要】
【発明が解決しようとする課題】
【０００５】
ところで、上記のように構成された基板ケースでは、外部より係合手段が解除されて開封されてしまった場合には、該基板ケース内の電子部品、基板が簡単に取り出されて、改造がなされてしまう恐れがあり、これを防止することができるか、あるいは、取り出しを容易に発見することができるための対策が求められていた。
【０００６】
本発明は、前述した課題を解決するためになされたものであり、その目的は、ケースを開いて電子部品、基板等を取り出そうとしても、ケースを破壊しない限り、ケースが開かないため、収容された電子部品、基板の取り出しができない容器を提供することにある。
【課題を解決するための手段】
【０００７】
上記目的を達成するために本発明では、上ケースと下ケースとを回動自在に連結し、これらケースの間に収納空間が形成される容器であって、前記上ケースと下ケースの一方に、他方と接触することによって回動範囲を制限する接触面を設けたことを特徴とする。
【発明の効果】
【０００８】
本発明では、上ケースと下ケースとを相対的に回動させても、人の手がケース内に入ることが制限され、該ケース内にある電子部品、基板が取り出され改造されることを防止できる。また、設定範囲を越えてケースを開けた場合に、該ケースの連結箇所が破壊されるので、ケースが開封されたか否かを目視により知ることができる。
【図面の簡単な説明】
【０００９】
【図１】本発明が適用される容器の外観図である。
【図２】（Ａ）上ケースと下ケースとが互いに連結された状態の平面図、（Ｂ）は右側面図である。
【図３】（Ａ）は図２をＥ−Ｅに沿って切断した場合の断面図、（Ｂ）は図２をＱ−Ｑに沿って切断した場合の断面図である。
【図４】（Ａ）は図２をＤ−Ｄに沿って切断した場合の断面図、（Ｂ）は図２をＳ−Ｓに沿って切断した場合の断面図である。
【図５】（Ａ）は図２をＦ−Ｆに沿って切断した場合の断面図、（Ｂ）は図２をＵ−Ｕに沿って切断した場合の断面図である。
【図６】ケースの結合動作を示す図である。
【図７】図６に続くケースの結合動作を示す図である。
【図８】図７のヒンジ部を拡大した詳細図である。
【図９】図７に続くケースの結合動作を示す図である。
【図１０】ケースの他辺部の詳細を示す断面図であって、（Ａ）はフック機構が設けられていない箇所、（Ｂ）はフック機構が設けられている箇所である。
【図１１】ヒンジ部におけるストッパーの他の形態１を説明する図である。
【図１２】ヒンジ部におけるストッパーの他の形態２を説明する図である。
【発明を実施するための形態】
【００１０】
以下、本発明に係る容器の実施形態について図１〜図１２を参照して説明する。
【００１１】
図１は、本発明の実施形態に係る容器１であって、プラスチック材料により形成された上ケース２と、下ケース３とを主な構成要素としている。これら上ケース２と下ケース３との間には、電子部品（ＲＯＭ，ＣＰＵ）及び該電子部品を搭載する基板（図示略）といった重要部材が収容される収納空間４が形成されている。なお、電子部品及び基板といった重要部材は、主に上ケース２内部に搭載されている。
【００１２】
図２〜図５を参照して、上ケース２及び下ケース３を詳細に説明する。図２は上ケース２と下ケース３とが互いに連結された状態の平面図を示し、図３〜図５は、図２の各部を幅方向に切断した断面図をそれぞれ示している。
図３〜図５を参照して分かるように、上ケース２及び下ケース３の内部でかつ一辺（２Ａ、３Ａ）側には、これらケース２、３を回動自在に連結するヒンジ部１０が設けられ、また、上ケース２及び下ケース３の内部でかつ他辺（２Ｂ、３Ｂ）側には、これらケース２、３を閉じた状態で係合するフック機構２０が設けられている。
【００１３】
ヒンジ部１０は、図３〜図５に示されるように、一方のケース（本例では下ケース３）に設けられた軸体１１と、他方のケース（本例では上ケース２）に設けられた軸受け１２とから構成されたものであって、軸体１１の軸線１１ａ（図１参照）を中心に回動する。
軸体１１は、下ケース３内の一辺３Ａの近傍位置にて該一辺３Ａに沿うように設けられている。また、軸体１１は軸受け１２に軸支される箇所において、その断面形状が、先端側が尖った扁平した楕円状に形成され（以下、この箇所の軸体１１を軸体係合部１１Ａという）、軸体係合部１１Ａ以外の箇所である軸線部１１Ｂは、その断面形状が真円に形成されている。また、軸体１１の軸体係合部１１Ａは、軸線部１１Ｂより大径に設定されている。
【００１４】
この軸体係合部１１Ａは、図３（Ａ）、図４（Ａ）、図５（Ａ）に示されるように、下ケース３内に複数箇所（本例では３箇所）設けられており、ケース２、３が閉じられようとする状態で、それぞれが上ケース２側の軸受け１２に軸支される。
【００１５】
また、軸受け１２は、図３〜図５に示されるように、軸体係合部１１Ａを含む軸体１１を軸支するようにその先端部が鉤状に屈曲した形状とされている。
また、この軸受け１２には、軸体係合部１１Ａと結合する箇所において、該軸体係合部１１Ａの先端部が入り込む係止孔１３が形成されている（図６〜図９参照）。
そして、ケース２、３が閉じられて、軸受け１２が軸体１１を軸支した状態では、軸体係合部１１Ａの先端部が係止孔１３内に収納された状態となり、この状態で、上ケース２を下ケース３に対して回動させた場合には、軸体係合部１１Ａの先端部が係止孔１３内周の接触面１４（図８参照）と接触して、該上ケース２の一定範囲以上の回動を規制する。
すなわち、係止孔１３の接触面１４がストッパーの役割を果たし、軸体係合部１１Ａを含む軸体１１を中心として、下ケース３に対して上ケース２が相対回転することを規制する。なお、このときの動作の詳細は以下の図６〜図９を参照して後述する。
【００１６】
次に、図２〜図５を参照して、上ケース２及び下ケース３の他辺２Ｂ、３Ｂ側に設けられて、これらケース２、３を閉じた状態で係合するフック機構２０について説明する。
このフック機構２０は、一方のケース（本例では上ケース２）の内面に設けられて全体として錨形状でかつ弾性変形可能に形成されたフック２１と、他方のケース（本例では下ケース３）の内面に設けられてフック２１と係合される一対の係合突起２２とから構成されている。
これらフック２１と係合突起２２とは、上ケース２と下ケース３の他辺２Ｂ、３Ｂ近傍の内面にそれぞれ設置されるものであって、これらケース２、３が閉じる直前に、フック２１が係合突起２２に接触して弾性変形する。そして、フック２２が係合突起２２を通過したときに、該フック２２の弾性変形が戻り、係合突起２２に係合されることなる。なお、このときの動作の詳細は以下の図６〜図９を参照して後述する。
【００１７】
また、フック２１と該フック２１に係合される係合突起２２とからなるフック機構２０は、上ケース２及び下ケース３の他辺２Ｂ、３Ｂに沿って複数（本例では３箇所）設けけられているが、その設置数は限定されない。
【００１８】
次に、上ケース２及び下ケース３を閉じる際のヒンジ部１０、フック機構２０の動作について詳細に説明する。
まず、図６に示されるように、下ケース３に設けられた軸体１１の軸体係合部１１Ａを、上ケース２に設けられた軸受け１２に軸支させるために、上ケース２の一辺２Ａ側を下ケース３の一辺３Ａ側に近接させた状態で、該上ケース２を下ケース３に対してスライドさせる（このときのスライド方向を一方向とし、矢印Ａで示す）。このとき、上ケース２側の軸受け１２を、軸体１１の軸体係合部１１Ａに対して平行状態を維持したまま矢印Ａ方向に近接させる。
【００１９】
次に、図７に示されるように、上ケース２側の軸受け１２を、下ケース３側の軸体１１に対して半径方向外方から回り込むように近接させた後、上ケース２を下ケース３に対して、軸体１１と平行な反対方向（このときの方向を他方向とし、矢印Ｂで示す）へずらす。これにより、軸体１１の軸体係合部１１Ａが軸受け１２に完全に支持され、その結果、二部材であるケース２、３を軸体１１Ａを中心に互いに矢印Ｃ方向に回動自在にすることが可能となる。
【００２０】
このとき、図７〜図９に示されるように、ケース２、３が閉じられて、軸体１１が軸受け１２に軸支された状態では、軸体係合部１１Ａの先端部が係止孔１３内に収納された状態となる。この状態で、上ケース２を下ケース３に対して回動させた場合には、図８の詳細図に示すように、軸体係合部１１Ａの先端部が係止孔１３内の接触面１４と接触し、該上ケース２の一定範囲以上の回動を規制する。すなわち、係止孔１３内の接触面１４がストッパーの役割を果たし、軸体係合部１１Ａを含む軸体１１を中心として、下ケース３に対して上ケース２が一定範囲以上、相対回転することを規制する。
【００２１】
また、図９及び図１０に示されるように、ケース２、３が閉じられて、軸受け１２が軸体１１を軸支した状態では、該ケース２、３の他辺２Ｂ、３Ｂ側にあるフック２１と係合突起２２とが係合される。すなわち、図１０に詳細に示されるように、ケース２、３が閉じる直前に、フック２１が係合突起２２に接触して弾性変形し、該係合突起２２を通過したときに、該係合突起２２によりフック２１が係合され、これによりケース２、３が内側から封止ロックされることになる。
【００２２】
なお、ここでの下ケース３に対する上ケース２の回転範囲は、軸体１１の軸体係合部１１Ａと、係止孔１３内の接触面１４との接触位置を調整することで任意に設定可能だが、人の手がケース２、３内に入り込むことを規制するために１０°程度に設定することが好ましい。
【００２３】
以上詳細に説明したように本実施形態に示される容器１では、上ケース２及び下ケース３を相対的に回動させた場合、下ケース３側の軸体係合部１１Ａ先端が、上ケース２側の軸受け１２に形成された係止孔１３内の接触面１４と接触することで、設定範囲（本例では１０°）以上、開かなくなる。これにより、人の手がケース２、３内に入ることが制限され、該ケース２、３内にある電子部品、基板が取り出され改造されることを防止できる。また、設定範囲を越えて、ケース２、３を開けた場合には、該ケース２、３の連結箇所であるヒンジ部１０が破壊されるので、ケース２、３が開封されたか否かを目視により知ることができる。
【００２４】
また、本実施形態に示される容器１では、内部のフック機構２０により、上ケース２と下ケース３とが互いに連結される。このとき、一方のケースの他辺２Ｂ、３Ｂに設けられたフック２１と、他方のケースの他辺２Ｂ、３Ｂに設けられた係合突起２２とは、いずれも該ケース２、３の内側に設けられており、かつケース連結時に互いが弾性変形することにより係合されるので、一旦、係合されてしまうと、外部からフック機構２０の係合を解除することはできない。
すなわち、本実施形態では、容器１を構成する一対のケース２、３の内側に設けられた弾性変形可能なフック２１及び係合突起２２を、互いに結合させることにより、これらケース２、３を係合かつ連結したので、封印となるロックピンを使用することなく封止をし、かつ簡単に開封できない構造を実現することができる。また、本実施形態では、ロックピンを使用しないことで、部品数及び製造時の作業工数を減少させて、生産効率の向上を図ることができる。
また、上記実施形態では、上ケース２及び下ケース３の他辺２Ｂ、３Ｂに沿ってフック機構２０が複数設けられることで、上ケース２及び下ケース３の強固な封止が可能となる。
【００２５】
なお、上記実施形態は以下のように変形しても良い。
（１）上記実施形態では、ヒンジ部１０では、下ケース３に軸体１１を設け、上ケース２に軸受け１２を設けるようにしたが、逆であっても良い。すなわち、下ケース３に軸受け１２を設け、上ケース２に軸体１１を設けても良い。
【００２６】
（２）上記実施形態では、ロック機構２０では、上ケース２の内面にフック２１を設け、下ケース３の内面に被係合部となる係合突起２２を設けるようにしたが、逆であっても良い。すなわち、上ケース２の内面に係合突起２２を設け、下ケース３の内面にフック２１を設けても良い。また、フック２１の形状も錨型に限定されず、係合突起２２に係合されるのであれば、他の形状であっても良い。
【００２７】
（３）上記実施形態では、上ケース２を下ケース３に対して回動させた場合には、軸体係合部１１Ａの先端部を係止孔１３内の接触面１４に接触させ、該上ケース２の一定範囲以上の回動を規制した。しかし、これに加えて、図１１に示すように、下ケース３の筐体の一部が接触面３０となり、該接触面３０が、上ケース２の筐体の接触面３１に接触することにより、下ケース３に対する上ケース２の回転規制を行うようにしても良い。
また、これに限定されず、図１２に示すように、単に、軸受け４０に対して軸体４１を、段部の係合だけで軸支するヒンジ部４２を使用しても良い。このとき、図１１と同様、下ケース３の筐体の一部が接触面３０となり、該接触面３０が、上ケース２の筐体の一部の接触面３１に接触することにより、下ケース３に対する上ケース２の回転規制を行うようにしても良い。すなわち、ストッパーである接触面の形態は、種々のタイプのものが採用可能である。
【００２８】
（４）上記実施形態では、容器１を構成する上ケース２及び下ケース３をプラスチックケースにより形成しているが、このプラスチックケースは透明のものを使用することが好ましい。透明のケース２、３であれば、これらを結合した際に、該ケース２、３内のフック機構２０が係合されているか否かを目視確認することができ、確実なケース封止を行うことができるからである。
【００２９】
以上、本発明の実施形態について図面を参照して詳述したが、具体的な構成はこの実施形態に限られるものではなく、本発明の要旨を逸脱しない範囲の設計変更等も含まれる。
【符号の説明】
【００３０】
１  容器
２  上ケース
３  下ケース
４  収納空間
１０  ヒンジ部
１１  軸体
１２  軸受け
１４  接触面
２０  フック機構
２１  フック
２２  係合突起
３０  接触面
３１  接触面
４０  軸受け
４１  軸体
４２  ヒンジ部
【図１】
2014064636.tif 000003
【図２】
2014064636.tif 000004
【図３】
2014064636.tif 000005
【図４】
2014064636.tif 000006
【図５】
2014064636.tif 000007
【図６】
2014064636.tif 000008
【図７】
2014064636.tif 000009
【図８】
2014064636.tif 000010
【図９】
2014064636.tif 000011
【図１０】
2014064636.tif 000012
【図１１】
2014064636.tif 000013
【図１２】
2014064636.tif 000014